(57)【特許請求の範囲】
【請求項１】
雄具とこの雄具の一部を付勢手段の付勢に抗した押し込み操作可能に納める雌具とを有し、前記雄具の所定の押し込み位置において前記雄具及び前記雌具の側部に形成された紐の通し孔を整合させるように構成されたコードロックであって、
前記雄具には、前記付勢手段の付勢により前記雌具の被掛合部に掛合して前記雄具の前記押し込み操作前の位置からの抜け出しを阻止する掛合部が形成されていると共に、
前記付勢手段としての圧縮コイルバネの収容部が形成されており、
前記雄具の押し込み方向に沿った前記収容部を形成させる隔壁の外側部によって、前記雄具の通し孔内に前記紐の通過を容易化するガイド部を形成させており、
前記ガイド部は、前記雄具の前記通し孔の孔径を、この通し孔の入り口側から離れるに従って減少させる傾斜面又は弧状面となっていると共に、
前記雄具のガイド部の対向側は、前記通し孔の孔軸に沿った壁面となっている、コードロック。
【請求項２】
前記雄具の前記通し孔の孔径は、その孔軸方向略中程の位置において最小となるようにしてある、請求項１に記載のコードロック。
【請求項３】
前記雄具及び前記雌具はそれぞれ、前記通し孔を左右に備えてなる、請求項１又は請求項２に記載のコードロック。
【発明の詳細な説明】
【技術分野】
【０００１】
この発明は、紐の任意の位置に留め付け可能であり、また、この留め付け状態を雌具内に雄具を付勢に抗して押し込み操作することで解くように構成されたコードロックの改良に関する。
【背景技術】
【０００２】
雄具とこの雄具の一部をバネの付勢に抗した押し込み操作可能に納める雌具とを有し、この雄具の所定の押し込み位置においてこの雄具及び雌具の側部に形成された紐の通し孔を整合させるように構成されたコードロックがある。（特許文献１参照）
【０００３】
紐は、前記通し孔を整合させた状態で、この通し孔に挿通されることとなるが、通し孔の孔径と紐の太さとに差が少ない場合、紐の先端が通し孔の入り口に引っかかるなどして、かかる挿通作業を円滑に行い難くする。前記通し孔を大きくしてこの通し孔の穴径と紐の太さとの差を大きくすれば、前記挿通作業は容易となるが、通し孔の孔軸に交叉する向きにおいて通し孔の内壁と紐との間に隙間が生じるため、前記向きでのコードロック内での紐のズレや、紐の長さ方向に対しコードロックが傾いてこの紐に留めつく状態になるなどの不都合が生じる。
【先行技術文献】
【特許文献】
【０００４】
【特許文献１】特開２０１１−２５１００８号公報
【発明の概要】
【発明が解決しようとする課題】
【０００５】
この発明が解決しようとする主たる問題点は、この種のコードロックにおいて、その機能を損なうことなく、これに留め付け対象となる紐をできるだけ容易に挿通できるようにする点にある。
【課題を解決するための手段】
【０００６】
前記課題を達成するために、この発明にあっては、コードロックを、雄具とこの雄具の一部を付勢手段の付勢に抗した押し込み操作可能に納める雌具とを有し、前記雄具の所定の押し込み位置において前記雄具及び前記雌具の側部に形成された紐の通し孔を整合させるように構成されたコードロックであって、
前記雄具には、前記付勢手段の付勢により前記雌具の被掛合部に掛合して前記雄具の前記押し込み操作前の位置からの抜け出しを阻止する掛合部が形成されていると共に、
前記雄具の通し孔内に前記紐の通過を容易化するガイド部を形成させてなる、ものとした。
【０００７】
かかる構成によれば、前記各通し孔に紐を通さない状態でも前記付勢手段の付勢にかかわらず雄具と雌具との組み合わせ状態を維持できると共に、雄具をこの雄具の通し孔と雌具の通し孔とを整合する位置まで前記付勢手段の付勢に抗して押し込んだ状態から紐を各通し孔に円滑に挿通することができる。
前記雄具及び前記雌具はそれぞれ、前記通し孔を左右に備えたものとしておけば、二箇所の通し孔の一方に通された紐をさらに二箇所の通し孔の他方に通すことでコードロックを一本の紐の結び目に代替させることができる。
【０００８】
前記ガイド部を、前記雄具の前記通し孔の孔径を、この通し孔の入り口側から離れるに従って減少させる傾斜面又は弧状面により構成させることが、この発明の好ましい態様の一つとされる。
また、前記雄具の前記通し孔の孔径は、その孔軸方向略中程の位置において最小となるようにしておくことが、この発明の好ましい態様の一つとされる。
【０００９】
このようにした場合、雄具の通し孔における入り口の穴径を紐よりも大きくしてかかる通し孔に紐を導入し易い設定としても、通し孔の奥ではその穴径は入り口側よりも小さくなっており、コードロックに通された紐は通し孔内において通し孔の孔軸に交叉する向きにズレ難くなる。また、雄具を前記のように押し込んだ状態から、雌具の通し孔を通じて雄具の通し孔に紐を導入すると、紐の先端はガイド部としての傾斜面又は弧状面に突き当たるが、この傾斜面又は弧状面により通し孔の奥側に誘導され、導入側と反対の入り口側にスムースに案内される。
【００１０】
また、前記雄具のガイド部の対向側は、前記通し孔の孔軸に沿った壁面としておくことが、この発明の好ましい態様の一つとされる。このようにした場合、雄具の通し孔に挿通された紐は、ガイド部側と反対の側では通し孔の壁面に通し孔の全長に亘り接するようにでき、通し孔内に通された紐の前記のようなズレは効果的に抑制される。
【００１１】
また、前記付勢手段をコイルバネとして、前記雄具における前記コイルバネの収容部を形成させる隔壁の外側部を前記ガイド部としておくことが、この発明の好ましい態様の一つとされる。このようにした場合、前記ガイド部を前記収容部を利用して雄具内に備えさせることができる。
【発明の効果】
【００１２】
この発明によれば、コードロックの機能を損なうことなく、これに留め付け対象となる紐を可及的容易に挿通可能となる。
【図面の簡単な説明】
【００１３】
【図１】図１は、この発明の一実施の形態にかかるコードロック（第一例）の斜視図である。
【図２】図２は、前記第一例の雄具を押し込んだ状態を示した斜視図である。
【図３】図３は、前記第一例の平面図である。
【図４】図４は、図３におけるＡ−Ａ線位置での断面図である。
【図５】図５は、図３におけるＢ−Ｂ線位置での断面図である。
【図６】図６は、前記第一例の分解斜視図である。
【図７】図７は、前記第一例の雄具の押し込み方向に直交する向きでの断面図であり、左側に挿通した紐を、右側に挿通途中の紐を、それぞれ想像線で表している。
【図８】図８は、この発明の一実施の形態にかかるコードロック（第二例）の断面図であり、図７と同じ位置でかかる第二例を断面にして示している。
【図９】図９は、この発明の一実施の形態にかかるコードロック（第三例）の断面図であり、図７と同じ位置でかかる第二例を断面にして示している。
【図１０】図１０は、この発明の一実施の形態にかかるコードロック（第四例）の斜視図である。
【図１１】図１１は、前記第四例の雄具を押し込んだ状態を示した斜視図である。
【図１２】図１２は、前記第四例の平面図である。
【図１３】図１３は、図１２におけるＣ−Ｃ線位置での断面図である。
【図１４】図１４は、図１２におけるＤ−Ｄ線位置での断面図である。
【図１５】図１５は、前記第四例の分解斜視図である。
【図１６】図１６は、前記第四例の雄具の押し込み方向に直交する向きでの断面図であり、挿通途中の紐を想像線で表している。
【発明を実施するための形態】
【００１４】
以下、図１〜図１６に基づいて、この発明の典型的な実施の形態について、説明する。この実施の形態にかかるコードロックＲは、紐Ｃの任意の位置に留め付け可能であり、また、この留め付け状態を雌具２内に雄具１を付勢に抗して押し込み操作することで解くように構成されたものである。
【００１５】
かかる紐Ｃは、このようにコードロックＲの留め付けが可能なものであれば、その形状（丸紐、平紐など）、材質や構造（編み紐、ゴム紐、合成樹脂製の紐など）は問われない。かかるコードロックＲは、典型的には、こうした紐Ｃにより絞られたり、引き締められたりする箇所を備えた各種の物品におけるこの紐Ｃに留め付けられて、その留め付け位置を変えることでこのような箇所を絞ったり、緩めたりするように用いられる。
【００１６】
かかるコードロックＲは、雄具１と、この雄具１の一部を付勢手段３の付勢に抗した押し込み操作可能に納める雌具２とを有し、この雄具１の所定の押し込み位置においてこの雄具１及び雌具２の側部に形成された紐Ｃの通し孔１３、２３を整合させるように構成される（図２参照）。このように通し孔１３、２３を整合させた状態でコードロックＲに紐Ｃが通され（図７参照）、あるいは、既に通された紐Ｃに対するコードロックＲの留め付けが解かれる。そして、雄具１に対する前記押し込み操作を止めて前記付勢により雄具１を押し込み操作前の位置に向けて移動させることで不整合となる雄具１の通し孔１３と雌具２の通し孔２２とにより（図１、図４参照）通された紐Ｃを挟み付けてこの紐ＣにコードロックＲが留め付く。
【００１７】
図１〜図９に示される第一例〜第三例では、雄具１及び雌具２にはそれぞれ、二箇所の通し孔１３、２３が形成されている。すなわち、第一例では、前記雄具及び前記雌具はそれぞれ、前記通し孔１３、２３を左右にそれぞれ備えている。これにより、図示の例では、二箇所の通し孔１３、２３の一方に通された紐Ｃをさらに二箇所の通し孔１３、２３の他方に通すことでコードロックＲを一本の紐Ｃの結び目に代替できるようになっている。
【００１８】
一方、図１０〜図１６に示される第四例は、雄具１及び雌具２にそれぞれ、一箇所の通し孔１３、２３を形成させている。
【００１９】
（第一例）
前記第一例にあっては、雄具１は、扁平盤状をなすように構成されている。この雄具１の厚さ方向が雌具２内への押し込み方向ｘと一致するようになっている。雄具１の幅広の一面がその押し込み操作をするときの操作面１０となっている。この雄具１の側部１１、つまり、かかる操作面１０とこの操作面１０に対向する雄具１の幅広の他面１２との間に、紐Ｃの通し孔１３が形成されている。図示の例では、雄具１の幅広の両面１０、１２はそれぞれ実質的に長方形状を呈しており、雄具１は四つのコーナー部１４、１４…を備え、従って側部１１は四つの側面部１１ａ、１１ａ…から構成されている。紐Ｃの通し孔１３は背中合わせの位置にある二つの側面部１１ａ、１１ａ間に亘って雄具１を貫通している。
【００２０】
雄具１の中央には、前記付勢手段としての圧縮コイルバネ３０の収容部１５が形成されている。この収容部１５は、前記押し込み方向ｘに穴中心軸を沿わせると共に、前記幅広の他面１２において開放され、前記操作面１０側を閉塞させた有底円形の穴となっている。
【００２１】
前記紐Ｃの通し孔１３は、前記収容部１５を挟んだ左右にそれぞれ設けられている。そして、この実施の形態にあっては、かかる収容部１５を形成させる隔壁１６の外側部が、前記通し孔１３の孔壁の一部としての後述のガイド部１７を構成するようになっている。
【００２２】
また、雄具１の四つの側面部１１ａ、１１ａ…のうち、通し孔１３の設けられていない二つの側面部１１ａ、１１ａにはそれぞれ、前記付勢手段３の付勢により雌具２の被掛合部２５に掛合して雄具１の前記押し込み操作前の位置からの抜け出しを阻止する掛合部１８が形成されている。図示の例では、かかる掛合部１８は、これが形成されている側面部１１ａが接する二つのコーナ部１４、１４間の略中程の位置に設けられている。図示の例では、この雄具１の掛合部１８はこの雄具１の側面部１１ａから外方に突き出す突起として構成されている。かかる突起は、頂部１８ａを挟んで前記操作面１０側に位置される側の突きだし面を側面部１１ａに略直交させる掛合面１８ｂとしていると共に、頂部１８ａを挟んだこの掛合面１８ｂと反対の側の突きだし面をこの頂部１５ａに向かうに連れて操作面１０側に近づく傾斜面１８ｃとしている。
【００２３】
一方、雌具２は、扁平の箱状をなすように構成されている。この雌具２の厚さ方向が雄具１の押し込み方向ｘと一致するようになっている。雌具２における雄具１の押し込み手前側ｘａに位置される幅広の上面は開放され、この開放部２０から雌具２内に雄具１がその操作面１０と反対の側から入れ込まれるようになっている。雌具２の側部２２、つまり、かかる開放部２０とこの底部２１との間に、紐Ｃの通し孔２３が形成されている。図示の例では、雌具２は略四角形の箱状を呈しており、前記側部２２を構成する四つの側面部２２ａ、２２ａ…を有している。そしての、紐Ｃの通し孔２３は背中合わせの位置にある二つの側面部２２ａ、２２ａに雌具２の内外を連通するようにして形成させれている。この二つの側面部２２ａ、２２ａにはそれぞれ、この側面部２２ａの左右方向略中程の位置を挟んだ一方側と他方側とにそれぞれ通し孔２３が形成されている。雌具２の底部２１の内側の中央には、周回突部２１ａが形成されており、前記収容部１５にバネ上端３０ａ側を納められた前記圧縮コイルバネ３０のバネ下端３０ｂ内にこの周回突部２１ａがはまり込むようになっている。
【００２４】
また、かかる雌具２の側部２２には雌具２の内外を連通させる連通部２４が形成されており、この連通部２４と雌具２の上面との間に位置される雌具２の側部の一部が弾性変形可能な被掛合部２５となっている。かかる雌具２を合成樹脂の成形品とすることで、この被掛合部２５に容易に弾性変形特性を付与することができる。図示の例では、雌具２の側部２２を構成する四つの側面部２２ａ、２２ａ…のうち、通し孔２３が形成されていない側面部２２ａにそれぞれ、かかる連通部２４が形成されている。この連通部２４は底部２１側においても開放されている。この連通部２４により、雌具２の開放部２０を巡る縁部のうち、連通部２４の形成された側面部２２ａ側に位置される縁部は、通し孔２３の形成された二箇所の側面部２２ａ、２２ａ間に亘る架橋片状をなし、この縁部が前記被掛合部２５として機能するようになっている。
【００２５】
この実施の形態にあっては、雌具２の一対の被掛合部２５、２５間の寸法よりも、雄具１の一対の掛合部１８、１８の頂部１８ａ間の寸法の方がやや大きくなっている。かかる入れ込みの過程において、掛合部１８の傾斜面１８ｃが被掛合部２５に突き当たって一対の被掛合部２５、２５間の間隔を広げる向きにこの被掛合部２５を弾性変形させる。これにより、この被掛合部２５下に掛合部１８の頂部１８ａが入り込む位置までの雄具１の導入が許容される。この被掛合部２５下に掛合部１８の頂部１８ａが入り込むと、被掛合部２５は弾性復帰する。雄具１を押し込み操作しない状態においては、付勢手段３の付勢によりこの被掛合部２５の下面に掛合部１８の掛合面１８ｂが掛合し、雄具１と雌具２とは紐Ｃを通し孔１３、２３に挿通させない状態においても分離することはない。この状態においては、雌具２の開放部２０から雄具１の操作面１０側が突きだし、雄具１の通し孔１３と雌具２の通し孔２３とは整合しないようになっている。（図１）この図１の状態から、雄具１を、この雄具１の通し孔１３と雌具２の通し孔２３とを整合する位置まで前記付勢手段３の付勢に抗して押し込むことで（図２）、コードロックＲに紐Ｃを通すことができるようになり、あるいはまた、既にコードロックＲに通された紐Ｃに対するコードロックＲの留め付け状態が解かれるようになっている。
【００２６】
また、図示の例では、雌具２における連通部２４の形成された側面部２２ａの外側に、通し孔２３の設けられた二箇所の側面部２２ａからそれぞれ延出する腕部２６によって帯状体の掛け回し部２７が架設されている。
【００２７】
また、この実施の形態にあっては、前記雄具１の通し孔１３内に前記紐Ｃの通過を容易化するガイド部１７を形成させている。これにより、この実施の形態にかかるコードロックにあっては、前記のように各通し孔１３、２３に紐Ｃを通さない状態でも前記付勢手段３の付勢にかかわらず雄具１と雌具との組み合わせ状態を維持できると共に、雄具１をこの雄具１の通し孔１３と雌具２の通し孔２３とを整合する位置まで前記付勢手段３の付勢に抗して押し込んだ状態から紐Ｃを各通し孔１３、２３に円滑に挿通することができる。
【００２８】
第一例にあっては、前記ガイド部１７は、前記雄具１の前記通し孔１３の孔径を、この通し孔１３の入り口１３ａ側から離れるに従って減少させる弧状面１７ａとなっている。第一例にあっては、前記収容部１５を形成させる隔壁１６が円筒状を呈しており、かかる収容部１５を利用して雄具１の中央側に前記弧状面１７ａが形成されている。収容部１５と側面部１１ａとの間は通し孔１３の孔軸ｙに沿った仕切り壁１９となっている。これにより、図示の例では、前記雄具１の前記通し孔１３の孔径は、その孔軸ｙ方向略中程の位置において最小となっている。また、雌具２の通し孔２３の孔径は雄具１の通し孔の入り口１３ａ側の穴径と実質的に等しくなっている。
【００２９】
雄具１の通し孔１３における入り口１３ａの穴径を紐Ｃよりも大きくしてかかる通し孔に紐Ｃを導入し易い設定としても、通し孔１３の奥ではその穴径は入り口１３ａ側よりも小さくなっており、コードロックＲに通された紐Ｃは通し孔１３内において通し孔１３の孔軸ｙに交叉する向きにズレ難くなる。また、雄具１を前記のように押し込んだ状態から、雌具２の通し孔２３を通じて雄具１の通し孔に紐Ｃを導入すると、紐Ｃの先端はガイド部１７としての弧状面１７ａに突き当たるが、この弧状面１７ａにより通し孔１３の奥側に誘導され、導入側と反対の入り口１３ａ側にスムースに案内される（図７）。
【００３０】
また、この実施の形態にあっては、前記雄具１のガイド部１７の対向側は、前記通し孔１３の孔軸ｙに沿った壁面となっている。これにより、雄具１の通し孔１３に挿通された紐Ｃは、ガイド部１７側と反対の側では通し孔１３の壁面に通し孔１３の全長に亘り接するようにでき、通し孔１３内に通された紐Ｃの前記のようなズレは効果的に抑制される。
【００３１】
（第二例）
図８に示される第二例にあっても、前記ガイド部１７は、前記雄具１の前記通し孔１３の孔径を、この通し孔１３の入り口１３ａ側から離れるに従って減少させる弧状面１７ａとなっている。この第二例にあっては、前記収容部１５を形成させる隔壁１６は通し孔１３の孔軸ｙに沿った側を長寸側とした楕円形の筒状を呈しており、これにより雄具１の中央側に前記弧状面１７ａが形成されている。この第二例におけるその余の構成は前記第一例と実質的に同一であるので、その説明は省略する。
【００３２】
（第三例）
図９に示される第三例にあっては、前記ガイド部１７は、前記雄具１の前記通し孔１３の孔径を、この通し孔１３の入り口１３ａ側から離れるに従って減少させる傾斜面１７ｂとなっている。この第三例にあっては、前記収容部１５を形成させる隔壁１６は、雄具１の押し込み方向ｘに直交する向きの断面を実質的に四角形とすると共に、その対向位置にある二つの角部１６ａ、１６ａを通し孔１３内において雄具１の中央側に位置させた角筒状を呈しており、これにより雄具１の中央側に前記傾斜面１７ｂが形成されている。これにより、図示の例では、前記雄具１の前記通し孔１３の孔径は、その孔軸ｙ方向略中程の位置において最小となっている。雄具１を前記のように押し込んだ状態から、雌具２の通し孔２３を通じて雄具１の通し孔に紐Ｃを導入すると、紐Ｃの先端はガイド部１７としての傾斜面１７ｂに突き当たるが、この傾斜面１７ｂにより通し孔１３の奥側に誘導され、導入側と反対の入り口１３ａ側にスムースに案内される。この第三例におけるその余の構成は前記第一例と実質的に同一であるので、その説明は省略する。
【００３３】
（第四例）
図１０〜図１６に示される第四例にあっては、雌具２は、雄具１の押し込み方向ｘに直交する向きの断面において、通し孔２３の形成されていない二箇所の側面部２２ａの一方のこの通し孔２３の孔軸に沿った向きの長さを、この二箇所の側面部２２ａの他方の同じ向きでの長さよりも長くし、通し孔２３の形成されている側面部２２ａを傾斜させており、前記断面形状を実質的に台形状としている。
【００３４】
一方、前記雄具１は、その押し込み方向ｘに直交する向きの断面形状を、前記雌具２の前記断面形状に倣った実質的に台形状としている。前記収容部１５は、かかる雄具１における雌具２の長い側面部２２ａに向き合う側面部１１ａ側に偏って設けられている。
【００３５】
この第四例にあっては、前記雄具１の操作面１０と対向する他面１２側において、前記台形の角部にそれぞれ、側面部１１ａから突き出す前記掛合部１８としての爪部１８’が形成されている。雌具２の側面部２２ａの内側であって、開放部２０側には、前記雄具１の各爪部１８’に対応した前記被掛合部２５としての引っかかり部２５’が形成されていると共に、この引っかかり部２５’の下方には爪部１８’を納める溝部２８が形成されている。この第四例にあっては、前記開放部２０から雌具２内に雄具１をその操作面１０と反対の側から入れ込む操作すると、前記引っかかり部２５’に爪部１８’が押し当たって雌部２側の弾性変形により爪部１８’の引っかかり部２５’の乗り越えが許容されると共に、乗り越えた爪部１８’は前記溝部２８に入り込み、これにより、前記付勢手段３の付勢に抗した押し込み操作可能に雄具１と雌具２とが組み合わされるようになっている。
【００３６】
この第四例におけるその余の構成は前記第一例と実質的に同一であるので、実質的に同一の部分については第一例で用いた符号と同一の符号を第四例を示す図面に用いてその説明は省略する。
【００３７】
なお、当然のことながら、本発明は以上に説明した実施態様に限定されるものではなく、本発明の目的を達成し得るすべての実施態様を含むものである。
【符号の説明】
【００３８】
Ｒ  コードロック
Ｃ  紐
１  雄具
１１  側部
１３  通し孔
１７  ガイド部
２  雌具
２２  側部
２３  通し孔
３  付勢手段
【図１】
0006272169.tif 000002
【図２】
0006272169.tif 000003
【図３】
0006272169.tif 000004
【図４】
0006272169.tif 000005
【図５】
0006272169.tif 000006
【図６】
0006272169.tif 000007
【図７】
0006272169.tif 000008
【図８】
0006272169.tif 000009
【図９】
0006272169.tif 000010
【図１０】
0006272169.tif 000011
【図１１】
0006272169.tif 000012
【図１２】
0006272169.tif 000013
【図１３】
0006272169.tif 000014
【図１４】
0006272169.tif 000015
【図１５】
0006272169.tif 000016
【図１６】
0006272169.tif 000017